(57)【要約】【課題】  上筐体を下筐体に対してスライド移動させた後に回転移動させることで、該上筐体を下筐体に対して斜めに起立させて開状態とするスライド回転機構を備えた携帯端末装置において、上記開状態から閉状態に戻す際に、上記回転移動が終了する前にスライド移動がなされることで、フレキシブル基板が上筐体で押され、下筐体との間で擦られて損傷する不都合を防止する。【解決手段】    上筐体１に設けられた電気部品と下筐体２に設けられた電気部品とを電気的に接続するフレキシブル基板のうち、上筐体１から露出した直後の部分から所定の長さ分を、接着部材を介してスライド補助プレート２１に接着することで、上筐体１から露出するフレキシブル基板の撓みを防止する。上記上筐体の回転移動が終了する前にスライド移動がなされても、フレキシブル基板が下筐体との間で擦られて損傷する不都合を防止することができる。【選択図】  図５
2011142475.tif 000002
【特許請求の範囲】
【請求項１】
上筐体と、
下筐体と、
開操作時には、上記上筐体に固定されて設けられ、該上筐体をスライド移動可能に保持するスライド補助プレートを介して該上筐体を開方向にスライド移動させ、この開方向のスライド移動後に、上記スライド補助プレートを介して上記上筐体を開方向に回転移動させ、該上筐体を上記下筐体に対して所定の角度で起立させ、閉操作時には、上記下筐体に対して所定の角度で起立している上記上筐体を、上記スライド補助プレートを介して上記開方向の回転移動に対して反対方向となる閉方向に回転移動させ、この閉方向の回転移動後に、上記スライド補助プレートを介して上記上筐体を、上記開方向のスライド移動に対して反対方向となる閉方向にスライド移動させるスライド回転機構と、
上記上筐体に設けられた電気部品と上記下筐体に設けられた電気部品とを電気的に接続するように、該上筐体と該下筐体との間に設けられ、上記上筐体から露出した直後の部分から所定の長さ分を、接着部材を介して上記スライド補助プレートに接着したフレキシブル基板と
を有する携帯端末装置。
【請求項２】
上記スライド回転機構は、
上記スライド補助プレートと、
一端部が上記スライド補助プレートに回動可能に接続され、他端部が上記下筐体に回動可能に接続された第１のアームと、
上記上筐体のスライド移動方向に沿って上記第１のアームと共に並設され、一端部が上記スライド補助プレートに回動可能に接続され、他端部が上記下筐体に回動可能に接続された第２のアームと
を有する請求項１に記載の携帯端末装置。
【請求項３】
上筐体と、
下筐体と、
上記上筐体に固定されて設けられ、該上筐体をスライド移動可能に保持するスライド補助プレートを介して上記上筐体をスライド移動させるスライド機構と、上記下筐体に対して上記上筐体を回動させる回転機構とを備え、開操作時には、上記スライド補助プレートを介して該上筐体を開方向にスライド移動させ、この開方向のスライド移動後に、上記スライド補助プレートを介して上記上筐体を開方向に回転移動させ、該上筐体を上記下筐体に対して所定の角度で起立させ、閉操作時には、上記下筐体に対して所定の角度で起立している上記上筐体を、上記スライド補助プレートを介して上記開方向の回転移動に対して反対方向となる閉方向に回転移動させ、この閉方向の回転移動後に、上記スライド補助プレートを介して上記上筐体を、上記開方向のスライド移動に対して反対方向となる閉方向にスライド移動させるスライド回転機構と、
上記上筐体側から上記下筐体側に突出するように、該上筐体に固定されて設けられた突出部材と、
上記スライド回転機構の上記回転機構に連動して回動するように該回転機構に固定して設けられ、上記上筐体が上記下筐体に対して所定の角度で起立している状態で、該上筐体が上記閉方向にスライド移動された際に、該上筐体に設けられた上記突出部材と当接して、該上筐体のスライド移動を規制するロックブロックと
を有する携帯端末装置。
【請求項４】
上記ロックブロックは、上記上筐体が上記下筐体に対して所定の角度で起立している状態から、該上筐体が所定の範囲で上記閉方向に回転移動された後に上記閉方向にスライド移動された場合に、上記突出部と当接して上記上筐体の上記閉方向へのスライド移動を規制するスライド移動規制部と、上記上筐体が上記下筐体に対して所定の角度で起立している状態から、該上筐体が上記所定の範囲以上、上記閉方向に回転移動された後に上記閉方向にスライド移動された場合に、上記突出部と当接して上記上筐体の上記閉方向へのスライド移動の規制を解除するスライド移動規制解除部と
を有する請求項３に記載の携帯端末装置。
【請求項５】
上記スライド回転機構は、
上記スライド補助プレートを備えた上記スライド機構と、
一端部が上記スライド補助プレートに回動可能に接続され、他端部が上記下筐体に回動可能に接続された第１のアーム、及び上記上筐体のスライド移動方向に沿って上記第１のアームと共に並設され、一端部が上記スライド補助プレートに回動可能に接続され、他端部が上記下筐体に回動可能に接続された第２のアームを備えた上記回転機構とを有し、
上記ロックブロックは、上記回転機構の上記第１のアームに連動して回動するように、該第１のアームの上記一端部に固定して設けられた
請求項３又は請求項４に記載の携帯端末装置。
【請求項６】
上筐体と、
下筐体と、
上記上筐体に固定されて設けられ、該上筐体をスライド移動可能に保持するスライド補助プレートを介して上記上筐体をスライド移動させるスライド機構と、上記下筐体に対して上記上筐体を回動させる回転機構とを備え、開操作時には、上記スライド補助プレートを介して該上筐体を開方向にスライド移動させ、この開方向のスライド移動後に、上記スライド補助プレートを介して上記上筐体を開方向に回転移動させ、該上筐体を上記下筐体に対して所定の角度で起立させ、閉操作時には、上記下筐体に対して所定の角度で起立している上記上筐体を、上記スライド補助プレートを介して上記開方向の回転移動に対して反対方向となる閉方向に回転移動させ、この閉方向の回転移動後に、上記スライド補助プレートを介して上記上筐体を、上記開方向のスライド移動に対して反対方向となる閉方向にスライド移動させるスライド回転機構と、
上記上筐体側から上記下筐体側に突出するように、該上筐体に固定されて設けられた突出部材と、
上記スライド回転機構の上記回転機構に連動して回動するように該回転機構に固定して設けられ、上記上筐体が上記下筐体に対して所定の角度で起立している状態で、該上筐体が上記閉方向にスライド移動された際に、該上筐体に設けられた上記突出部材と当接して、該上筐体のスライド移動を規制するロックブロックと
上記上筐体に設けられた電気部品と上記下筐体に設けられた電気部品とを電気的に接続するように、該上筐体と該下筐体との間に設けられ、上記上筐体から露出した直後の部分から所定の長さ分を、接着部材を介して上記スライド補助プレートに接着したフレキシブル基板と
を有する携帯端末装置。
【請求項７】
上記ロックブロックは、上記上筐体が上記下筐体に対して所定の角度で起立している状態から、該上筐体が所定の範囲で上記閉方向に回転移動された後に上記閉方向にスライド移動された場合に、上記突出部と当接して上記上筐体のスライド移動を規制するスライド移動規制部と、上記上筐体が上記下筐体に対して所定の角度で起立している状態から、該上筐体が上記所定の範囲以上、上記閉方向の回転移動された後に上記閉方向のスライド移動がなされた場合に、上記突出部と当接して上記上筐体の上記閉方向へのスライド移動の規制を解除するスライド移動規制解除部と
を有する請求項６に記載の携帯端末装置。
【請求項８】
上記スライド回転機構は、
上記スライド補助プレートを備えた上記スライド機構と、
一端部が上記スライド補助プレートに回動可能に接続され、他端部が上記下筐体に回動可能に接続された第１のアーム、及び上記上筐体のスライド移動方向に沿って上記第１のアームと共に並設され、一端部が上記スライド補助プレートに回動可能に接続され、他端部が上記下筐体に回動可能に接続された第２のアームを備えた上記回転機構とを有し、
上記ロックブロックは、上記回転機構の上記第１のアームに連動して回動するように、該第１のアームの上記一端部に固定して設けられた
請求項６又は請求項７に記載の携帯端末装置。
【請求項９】
開操作時には、上筐体に固定されて設けられ、該上筐体をスライド移動可能に保持するスライド補助プレートを介して上記上筐体を開方向にスライド移動させ、この開方向のスライド移動後に、上記スライド補助プレートを介して上記上筐体を開方向に回転移動させ、該上筐体を上記下筐体に対して所定の角度で起立させ、閉操作時には、上記下筐体に対して所定の角度で起立している上記上筐体を、上記スライド補助プレートを介して上記開方向に対して反対方向となる閉方向に回転移動させ、この閉方向の回転移動後に、上記スライド補助プレートを介して上記上筐体を、上記開方向に対して反対方向となる閉方向にスライド移動させるスライド回転機構を備えた携帯端末装置のフレキシブル基板の設置方法であって、
上記上筐体に設けられた電気部品と上記下筐体に設けられた電気部品とを電気的に接続するようにフレキシブル基板を設け
上記フレキシブル基板の、上記上筐体から露出した直後の部分から所定の長さ分を、接着部材を介して上記スライド補助プレートに接着した
フレキシブル基板の設置方法。
【請求項１０】
上筐体に固定されて設けられ、該上筐体をスライド移動可能に保持するスライド補助プレートを介して上記上筐体をスライド移動させるスライド機構と、上記下筐体に対して上記上筐体を回動させる回転機構とを備え、開操作時には、上記スライド補助プレートを介して該上筐体を開方向にスライド移動させ、この開方向のスライド移動後に、上記スライド補助プレートを介して上記上筐体を開方向に回転移動させ、該上筐体を上記下筐体に対して所定の角度で起立させ、閉操作時には、上記下筐体に対して所定の角度で起立している上記上筐体を、上記スライド補助プレートを介して上記開方向の回転移動に対して反対方向となる閉方向に回転移動させ、この閉方向の回転移動後に、上記スライド補助プレートを介して上記上筐体を、上記開方向のスライド移動に対して反対方向となる閉方向にスライド移動させるスライド回転機構を備えた携帯端末装置の閉操作矯正方法であって、
上記上筐体側から上記下筐体側に突出するように突出部材を上記上筐体に固定して設け、
上記スライド回転機構の上記回転機構に連動して回動するロックブロックを該回転機構に固定して設け、
上記上筐体が上記下筐体に対して所定の角度で起立している状態で、該上筐体が上記閉方向にスライド移動された際に、上記該上筐体に設けられた上記突出部材を上記ロックブロックに当接させて該上筐体のスライド移動を規制することで、上記携帯端末装置の閉操作を矯正する
閉操作矯正方法。
【請求項１１】
上筐体に固定されて設けられ、該上筐体をスライド移動可能に保持するスライド補助プレートを介して上記上筐体をスライド移動させるスライド機構と、上記下筐体に対して上記上筐体を回動させる回転機構とを備え、開操作時には、上記スライド補助プレートを介して該上筐体を開方向にスライド移動させ、この開方向のスライド移動後に、上記スライド補助プレートを介して上記上筐体を開方向に回転移動させ、該上筐体を上記下筐体に対して所定の角度で起立させ、閉操作時には、上記下筐体に対して所定の角度で起立している上記上筐体を、上記スライド補助プレートを介して上記開方向の回転移動に対して反対方向となる閉方向に回転移動させ、この閉方向の回転移動後に、上記スライド補助プレートを介して上記上筐体を、上記開方向のスライド移動に対して反対方向となる閉方向にスライド移動させるスライド回転機構を備えた携帯端末装置に設けられるフレキシブル基板の損傷防止方法であって、
上記上筐体に設けられた電気部品と上記下筐体に設けられた電気部品とを電気的に接続するようにフレキシブル基板を設け
上記フレキシブル基板の、上記上筐体から露出した直後の部分から所定の長さ分を、接着部材を介して上記スライド補助プレートに接着し、
上記上筐体側から上記下筐体側に突出するように突出部材を上記上筐体に固定して設け、
上記スライド回転機構の上記回転機構に連動して回動するロックブロックを該回転機構に固定して設け、
上記上筐体が上記下筐体に対して所定の角度で起立している状態で、該上筐体が上記閉方向にスライド移動された際に、上記該上筐体に設けられた上記突出部材を上記ロックブロックに当接させて該上筐体のスライド移動を規制することで、上記フレキシブル基板の損傷を防止する
フレキシブル基板の損傷防止方法。
【発明の詳細な説明】
【技術分野】
【０００１】
本発明は、例えば携帯電話機、ＰＨＳ電話機（PHS：Personal Handyphone System）、ＰＤＡ装置（PDA：Personal Digital Assistant）、携帯ゲーム機等の携帯機器に適用して好適な携帯端末装置、フレキシブル基板の設置方法、閉操作矯正方法、及びフレキシブル基板の損傷防止方法に関する。
【背景技術】
【０００２】
今日において、一つの筐体に表示部及び操作部を設けた、いわゆるストレート型の携帯機器や、表示部等が設けられた上筐体と操作部等が設けられた下筐体とを重ね合わせた状態で携帯する携帯機器が知られている。
【０００３】
また、表示部等が設けられた上筐体と操作部等が設けられた下筐体とを重ね合わせた状態で携帯する携帯機器としては、ヒンジ部を介して上筐体及び下筐体を相互に回動可能に接続した、いわゆるクラムシェル型の携帯機器や、例えば特開２００９−２６７６１４号の公開特許公報（特許文献１）に開示されている携帯機器のように、上筐体及び下筐体が相互に該各筐体の長手方向に沿ってスライド移動する、いわゆるスライド型の携帯機器が知られている。
【先行技術文献】
【特許文献】
【０００４】
【特許文献１】特開２００９−２６７６１４号公報
【発明の概要】
【発明が解決しようとする課題】
【０００５】
ここで、本願発明の出願人は、上筐体及び下筐体を重ね合わせた状態から、上筐体及び下筐体が該各筐体の短手方向に沿ってスライド移動すると共に、上筐体の長手方向の他端部が下筐体の一端部近傍までスライド移動した際に、該上筐体が回動し、該上筐体が下筐体に対して斜めに起立する、スライド型及びクラムシェル型の両方の機能を合わせ持つ携帯端末装置を開発するに至った。
【０００６】
この新たに開発した携帯電話機は、下筐体に対して上筐体が斜めに起立した開状態から、各筐体が略々重なり合った状態である閉状態に戻す場合、まず、上筐体を回動させて、一旦、上筐体と下筐体とを平行状態とする。次に、上記平行状態となっている上筐体に対して閉方向の力を加えることで、上筐体を下筐体に対して平行にスライド移動させ、当該携帯端末装置を閉状態とする。これが、当該携帯電話機を開状態から閉状態に戻す際の正規の操作順序である。
【０００７】
しかし、この新たに開発した携帯端末装置の動作検証を行ったところ、開状態から閉状態に戻す際に、起立している上筐体を下筐体に対して平行としないうちに、上筐体を下筐体に対してスライド移動させることが可能であることがわかった。
【０００８】
上筐体内に設けられている電気部品と下筐体内に設けられている電気部品は、可撓性を有するフレキシブル基板により電気的に接続されているのであるが、起立している上筐体を下筐体に対して平行としないうちに、上筐体を下筐体に対してスライド移動させると、フレキシブル基板が損傷する可能性がある。
【０００９】
この問題は、当該携帯電話機を開状態から閉状態に戻す際に、上述の正規の操作順序で閉操作を行うように、ユーザに対して強いることにより解決可能である。しかし、このようなことを各ユーザに対して強いることは、非現実的なことである。
【００１０】
本発明は、このような動作検証結果に基づいてなされたものであり、開状態から閉状態に戻す際に、上述の正規の操作順序で閉操作が行われなかった場合でも、フレキシブル基板の損傷を防止することができるようなスライド回転機構、及び携帯端末装置の提供を目的とする。
【００１１】
また、本発明は、上述の動作検証結果に基づいてなされたものであり、開状態から閉状態に戻す際に、ユーザに意識させることなく、自然に上述の正規の操作順序で閉操作を行わせることができ、これにより、フレキシブル基板の損傷を防止することができるような携帯端末装置、フレキシブル基板の設置方法、閉操作矯正方法、及びフレキシブル基板の損傷防止方法の提供を目的とする。
【課題を解決するための手段】
【００１２】
本発明に係る携帯端末装置は、上述の課題を解決するために
上筐体と、
下筐体と、
開操作時には、上記上筐体に固定されて設けられ、該上筐体をスライド移動可能に保持するスライド補助プレートを介して該上筐体を開方向にスライド移動させ、この開方向へのスライド移動後に、上記スライド補助プレートを介して上記上筐体を開方向に回転移動させ、該上筐体を上記下筐体に対して所定の角度で起立させ、閉操作時には、上記下筐体に対して所定の角度で起立している上記上筐体を、上記スライド補助プレートを介して上記開方向の回転移動に対する反対方向となる閉方向に回転移動させ、この閉方向への回転移動後に、上記スライド補助プレートを介して上記上筐体を、上記開方向のスライド移動に対して反対方向となる閉方向にスライド移動させるスライド回転機構と、
上記上筐体に設けられた電気部品と上記下筐体に設けられた電気部品とを電気的に接続するように、該上筐体と該下筐体との間に設けられ、上記上筐体から露出した直後の部分から所定の長さ分を、接着部材を介して上記スライド補助プレートに接着したフレキシブル基板と
を有する。
【００１３】
このような携帯端末装置は、上記上筐体に設けられた電気部品と上記下筐体に設けられた電気部品とを電気的に接続するフレキシブル基板のうち、上記上筐体から露出した直後の部分から所定の長さ分を、接着部材を介して上記スライド補助プレートに接着する。
【００１４】
これにより、上筐体から露出するフレキシブル基板の撓みを防止することができる。このため、上記閉操作を行う際に、上記上筐体の閉方向の回転移動が終了する前に該上筐体が上記閉方向にスライド移動された場合でも、フレキシブル基板が上筐体で押され、下筐体との間で擦られて損傷する不都合を防止することができる（＝当該携帯電話機が正規の操作順序で閉操作されないことでフレキシブル基板が損傷する不都合を防止することができる。）。
【００１５】
また、本発明に係る携帯端末装置は、上述の課題を解決するために
上筐体と、
下筐体と、
上記上筐体に固定されて設けられ、該上筐体をスライド移動可能に保持するスライド補助プレートを介して上記上筐体をスライド移動させるスライド機構と、上記下筐体に対して上記上筐体を回動させる回転機構とを備え、開操作時には、上記スライド補助プレートを介して該上筐体を開方向にスライド移動させ、この開方向にスライド移動させた後に、上記スライド補助プレートを介して上記上筐体を開方向に回転移動させ、該上筐体を上記下筐体に対して所定の角度で起立させ、閉操作時には、上記下筐体に対して所定の角度で起立している上記上筐体を、上記スライド補助プレートを介して上記開方向の回転移動に対して反対方向となる閉方向に回転移動させ、この閉方向への回転移動後に、上記スライド補助プレートを介して上記上筐体を、上記開方向のスライド移動に対して反対方向となる閉方向にスライド移動させるスライド回転機構と、
上記上筐体側から上記下筐体側に突出するように、該上筐体に固定されて設けられた突出部材と、
上記スライド回転機構の上記回転機構に連動して回動するように該回転機構に固定して設けられ、上記上筐体が上記下筐体に対して所定の角度で起立している状態で、該上筐体が上記閉方向にスライド移動された際に、該上筐体に設けられた上記突出部材と当接して、該上筐体のスライド移動を規制するロックブロックと
を有する。
【００１６】
このような携帯端末装置は、上記スライド回転機構の上記回転機構に連動して回動するように該回転機構に固定してロックブロックを設け、上筐体が下筐体に対して所定の角度で起立している状態で、該上筐体が上記閉方向にスライド移動された際に、上記ロックブロックを上記上筐体に設けられた突出部材と当接させて、該上筐体の上記閉方向へのスライド移動を規制する。
【００１７】
これにより、ユーザに意識させることなく、自然に、正規の操作順序で当該携帯電話機を開状態から閉状態に戻す操作を行わせることができる（ユーザの閉操作を正規の操作順序となるように矯正することができる。）。
【００１８】
また、本発明に係る携帯端末装置は、上述の課題を解決するために
上筐体と、
下筐体と、
上記上筐体に固定されて設けられ、該上筐体をスライド移動可能に保持するスライド補助プレートを介して上記上筐体をスライド移動させるスライド機構と、上記下筐体に対して上記上筐体を回動させる回転機構とを備え、開操作時には、上記スライド補助プレートを介して該上筐体を開方向にスライド移動させ、この開方向へのスライド移動後に、上記スライド補助プレートを介して上記上筐体を開方向に回転移動させ、該上筐体を上記下筐体に対して所定の角度で起立させ、閉操作時には、上記下筐体に対して所定の角度で起立している上記上筐体を、上記スライド補助プレートを介して上記開方向の回転移動に対して反対方向となる閉方向に回転移動させ、この閉方向への回転移動後に、上記スライド補助プレートを介して上記上筐体を、上記開方向のスライド移動に対して反対方向となる閉方向にスライド移動させるスライド回転機構と、
上記上筐体側から上記下筐体側に突出するように、該上筐体に固定されて設けられた突出部材と、
上記スライド回転機構の上記回転機構に連動して回動するように該回転機構に固定して設けられ、上記上筐体が上記下筐体に対して所定の角度で起立している状態で、該上筐体が上記閉方向にスライド移動された際に、該上筐体に設けられた上記突出部材と当接して、該上筐体のスライド移動を規制するロックブロックと
上記上筐体に設けられた電気部品と上記下筐体に設けられた電気部品とを電気的に接続するように、該上筐体と該下筐体との間に設けられ、上記上筐体から露出した直後の部分から所定の長さ分を、接着部材を介して上記スライド補助プレートに接着したフレキシブル基板と
を有する。
【００１９】
このような携帯端末装置は、上記上筐体に設けられた電気部品と上記下筐体に設けられた電気部品とを電気的に接続するフレキシブル基板のうち、上記上筐体から露出した直後の部分から所定の長さ分を、接着部材を介して上記スライド補助プレートに接着することで、上筐体から露出するフレキシブル基板の撓みを防止する。
【００２０】
また、スライド回転機構の回転機構に連動して回動するように該回転機構に固定してロックブロックを設け、上筐体が下筐体に対して所定の角度で起立している状態で、該上筐体が上記閉方向にスライド移動された際に、上記ロックブロックを上記上筐体に設けられた突出部材と当接させて、該上筐体の上記閉方向へのスライド移動を規制する。
【００２１】
これにより、フレキシブル基板の撓みを防止したうえで、開状態から閉状態に戻す際に、閉方向の回動移動前は、閉方向へのスライド移動が規制されるため、フレキシブル基板の損傷を強力に防止することができるうえ、ユーザに意識させることなく、自然に、正規の操作順序で当該携帯電話機を開状態から閉状態に戻す操作を行わせることができる（ユーザの閉操作を正規の操作順序となるように矯正することができる。）。
【００２２】
また、本発明に係るフレキシブル基板の設置方法は、上述の課題を解決するために
開操作時には、上筐体に固定されて設けられ、該上筐体をスライド移動可能に保持するスライド補助プレートを介して上記上筐体を開方向にスライド移動させ、この開方向へのスライド移動後に、上記スライド補助プレートを介して上記上筐体を開方向に回転移動させ、該上筐体を上記下筐体に対して所定の角度で起立させ、閉操作時には、上記下筐体に対して所定の角度で起立している上記上筐体を、上記スライド補助プレートを介して上記開方向に対して反対方向となる閉方向に回転移動させ、この閉方向への回転移動後に、上記スライド補助プレートを介して上記上筐体を、上記開方向に対して反対方向となる閉方向にスライド移動させるスライド回転機構を備えた携帯端末装置のフレキシブル基板の設置方法であって、
上記上筐体に設けられた電気部品と上記下筐体に設けられた電気部品とを電気的に接続するようにフレキシブル基板を設け
上記フレキシブル基板の、上記上筐体から露出した直後の部分から所定の長さ分を、接着部材を介して上記スライド補助プレートに接着する。
【００２３】
これにより、上筐体から露出するフレキシブル基板の撓みを防止することができる。このため、上記閉操作を行う際に、上記上筐体の閉方向への回転移動が終了する前に該上筐体が上記閉方向にスライド移動された場合でも、フレキシブル基板が上筐体で押され、下筐体との間で擦られて損傷する不都合を防止することができる（＝当該携帯電話機が正規の操作順序で閉操作されないことでフレキシブル基板が損傷する不都合を防止することができる。）。
【００２４】
また、本発明に係る閉操作矯正方法は、上述の課題を解決するために
上筐体に固定されて設けられ、該上筐体をスライド移動可能に保持するスライド補助プレートを介して上記上筐体をスライド移動させるスライド機構と、上記下筐体に対して上記上筐体を回動させる回転機構とを備え、開操作時には、上記スライド補助プレートを介して該上筐体を開方向にスライド移動させ、この開方向へのスライド移動後に、上記スライド補助プレートを介して上記上筐体を開方向に回転移動させ、該上筐体を上記下筐体に対して所定の角度で起立させ、閉操作時には、上記下筐体に対して所定の角度で起立している上記上筐体を、上記スライド補助プレートを介して上記開方向の回転移動に対して反対方向となる閉方向に回転移動させ、この閉方向への回転移動後に、上記スライド補助プレートを介して上記上筐体を、上記開方向のスライド移動に対して反対方向となる閉方向にスライド移動させるスライド回転機構を備えた携帯端末装置の閉操作矯正方法であって、
上記上筐体側から上記下筐体側に突出するように突出部材を上記上筐体に固定して設け、
上記スライド回転機構の上記回転機構に連動して回動するロックブロックを該回転機構に固定して設け、
上記上筐体が上記下筐体に対して所定の角度で起立している状態で、該上筐体が上記閉方向にスライド移動された際に、上記該上筐体に設けられた上記突出部材を上記ロックブロックに当接させて該上筐体のスライド移動を規制することで、上記携帯端末装置の閉操作を矯正する。
【００２５】
このような閉操作矯正方法は、上記スライド回転機構の上記回転機構に連動して回動するように該回転機構に固定してロックブロックを設け、上筐体が下筐体に対して所定の角度で起立している状態で、該上筐体が上記閉方向にスライド移動された際に、上記ロックブロックを上記上筐体に設けられた突出部材と当接させて、該上筐体の上記閉方向へのスライド移動を規制する。
【００２６】
これにより、ユーザに意識させることなく、自然に、正規の操作順序で当該携帯電話機を開状態から閉状態に戻す操作を行わせることができる（ユーザの閉操作を正規の操作順序となるように矯正することができる。）。
【００２７】
また、本発明に係るフレキシブル基板の損傷防止方法は、上述の課題を解決するために
上筐体に固定されて設けられ、該上筐体をスライド移動可能に保持するスライド補助プレートを介して上記上筐体をスライド移動させるスライド機構と、上記下筐体に対して上記上筐体を回動させる回転機構とを備え、開操作時には、上記スライド補助プレートを介して該上筐体を開方向にスライド移動させ、この開方向へのスライド移動後に、上記スライド補助プレートを介して上記上筐体を開方向に回転移動させ、該上筐体を上記下筐体に対して所定の角度で起立させ、閉操作時には、上記下筐体に対して所定の角度で起立している上記上筐体を、上記スライド補助プレートを介して上記開方向の回転移動に対して反対方向となる閉方向に回転移動させ、この閉方向への回転移動後に、上記スライド補助プレートを介して上記上筐体を、上記開方向のスライド移動に対して反対方向となる閉方向にスライド移動させるスライド回転機構を備えた携帯端末装置に設けられるフレキシブル基板の損傷防止方法であって、
上記上筐体に設けられた電気部品と上記下筐体に設けられた電気部品とを電気的に接続するようにフレキシブル基板を設け
上記フレキシブル基板の、上記上筐体から露出した直後の部分から所定の長さ分を、接着部材を介して上記スライド補助プレートに接着し、
上記上筐体側から上記下筐体側に突出するように突出部材を上記上筐体に固定して設け、
上記スライド回転機構の上記回転機構に連動して回動するロックブロックを該回転機構に固定して設け、
上記上筐体が上記下筐体に対して所定の角度で起立している状態で、該上筐体が上記閉方向にスライド移動された際に、上記該上筐体に設けられた上記突出部材を上記ロックブロックに当接させて該上筐体のスライド移動を規制することで、上記フレキシブル基板の損傷を防止する。
【００２８】
このようなフレキシブル基板の損傷防止方法は、上記上筐体に設けられた電気部品と上記下筐体に設けられた電気部品とを電気的に接続するフレキシブル基板のうち、上記上筐体から露出した直後の部分から所定の長さ分を、接着部材を介して上記スライド補助プレートに接着することで、上筐体から露出するフレキシブル基板の撓みを防止する。
【００２９】
また、スライド回転機構の回転機構に連動して回動するように該回転機構に固定してロックブロックを設け、上筐体が下筐体に対して所定の角度で起立している状態で、該上筐体が上記閉方向にスライド移動された際に、上記ロックブロックを上記上筐体に設けられた突出部材と当接させて、該上筐体の上記閉方向へのスライド移動を規制する。
【００３０】
これにより、フレキシブル基板の撓みを防止したうえで、開状態から閉状態に戻す際に、上記閉方向の回動移動前は、上記閉方向のスライド移動が規制されるため、フレキシブル基板の損傷を強力に防止することができるうえ、ユーザに意識させることなく、自然に、正規の操作順序で当該携帯電話機を開状態から閉状態に戻す操作を行わせることができる（ユーザの閉操作を正規の操作順序となるように矯正することができる。）。
【発明の効果】
【００３１】
本発明は、上筐体に設けられた電気部品と下筐体に設けられた電気部品とを電気的に接続するフレキシブル基板のうち、上筐体から露出した直後の部分から所定の長さ分を、接着部材を介して上記スライド補助プレートに接着することで、上筐体から露出するフレキシブル基板の撓みを防止することができる。このため、閉操作を行う際に、上筐体の閉方向の回転移動が終了する前に該上筐体が閉方向にスライド移動された場合でも、フレキシブル基板が上筐体で押され、下筐体との間で擦られて損傷する不都合を防止することができる（＝正規の操作順序で閉操作されないことでフレキシブル基板が損傷する不都合を防止することができる。）。
【００３２】
また、本発明は、スライド回転機構の回転機構に連動して回動するように該回転機構に固定してロックブロックを設け、上筐体が下筐体に対して所定の角度で起立している状態で、該上筐体が閉方向にスライド移動された際に、上記ロックブロックを上記上筐体に設けられた突出部材と当接させて、該上筐体の閉方向のスライド移動を規制する。これにより、ユーザに意識させることなく、自然に、正規の操作順序で当該携帯電話機を開状態から閉状態に戻す操作を行わせることができる（ユーザの閉操作を正規の操作順序となるように矯正することができる。）。
【００３３】
また、本発明は、上筐体に設けられた電気部品と下筐体に設けられた電気部品とを電気的に接続するフレキシブル基板のうち、上筐体から露出した直後の部分から所定の長さ分を、接着部材を介して上記スライド補助プレートに接着することで、上筐体から露出するフレキシブル基板の撓みを防止すると共に、スライド回転機構の回転機構に連動して回動するように該回転機構に固定してロックブロックを設け、上筐体が下筐体に対して所定の角度で起立している状態で、該上筐体が閉方向にスライド移動された際に、上記ロックブロックを上記上筐体に設けられた突出部材と当接させて、該上筐体の閉方向のスライド移動を規制する。
【００３４】
これにより、フレキシブル基板の撓みを防止したうえで、開状態時における閉方向の回動移動前における閉方向のスライド移動を規制することができ、フレキシブル基板の損傷を強力に防止することができるうえ、ユーザに意識させることなく、自然に、正規の操作順序で当該携帯電話機を開状態から閉状態に戻す操作を行わせることができる（ユーザの閉操作を正規の操作順序となるように矯正することができる。）。
【図面の簡単な説明】
【００３５】
【図１】本発明を適用した第１の実施例となる携帯電話機の分解斜視図である。
【図２】第１の実施例となる携帯電話機のスライド回転機構の拡大斜視図である。
【図３】第１の実施例となる携帯電話機のスライド回転動作の流れを示す図である。
【図４】第１の実施例となる携帯電話機の上筐体及び下筐体に設けられているフレキシブル基板を示す図である。
【図５】第１の実施例となる携帯電話機のスライド補助プレートに対するフレキシブル基板の接着構成を説明するための図である。
【図６】本発明を適用した第２の実施例となる携帯電話機の要部を透視した状態の斜視図である。
【図７】本発明を適用した第２の実施例となる携帯電話機の要部を他の方向から透視した状態の斜視図である。
【図８】本発明を適用した第２の実施例となる携帯電話機の開動作を説明するための図である。
【図９】本発明を適用した第２の実施例となる携帯電話機の開動作時における要部を示す図である。
【図１０】本発明を適用した第２の実施例となる携帯電話機の開状態時における要部を示す図である。
【図１１】本発明を適用した第２の実施例となる携帯電話機の閉動作時に回転操作を行う前にスライド操作を行った際に、該スライド操作が規制される様子を示す図である。
【図１２】本発明を適用した第２の実施例となる携帯電話機の閉動作時に少ない回転操作からスライド操作を行った場合に、各アームの回転操作が加速（補助）される様子を示す図である。
【図１３】本発明を適用した第２の実施例となる携帯電話機の回転動作終了直前の状態を示す図である。
【発明を実施するための形態】
【００３６】
［第１の実施例］
まず、図１に、本発明を適用した第１の実施例となる携帯電話機の要部の分解斜視図を示す。この図１からわかるように、この第１の実施例となる携帯電話機は、略長方形状の上筐体１、及びこの上筐体１と略々同じ大きさの長方形状の下筐体２とを有している。
【００３７】
上筐体１の上面部１ａ（＝下筐体２に相対向する面部に対して反対側となる面部）には、液晶表示部や有機ＥＬ表示部（Organic Electro Luminescence）等の表示部や補助操作部等が設けられている。下筐体２の上面部２ａ（＝上筐体１に相対向する面部）には、複数の押圧操作キーや回転操作キー等を備えた主操作部等が設けられている。
【００３８】
上筐体１の上面部１ａに設けられた表示部や補助操作部等は、各筐体１，２のスライド位置や回動位置に拘わらず常時露出するようになっている。また、下筐体１の上面部２ａに設けられた主操作部等は、上筐体１をスライド回転操作して当該携帯端末装置を開状態とした際に露出するようになっている。
【００３９】
〔スライド回転機構〕
図２に、この第１の実施例となる携帯電話機が有するのスライド回転機構の拡大斜視図を示す。上記図１及びこの図２に示すようにスライド回転機構１１は、基本的な構成部材として、第１のアーム１５、第２のアーム１６、スライド補助プレート２１、及び４本の回転支持ピン２２〜２５を有している。
【００４０】
スライド補助プレート２１の上記コの字状に折曲加工された部分、及び上記逆コの字状に折曲加工された部分には、このスライド補助プレート２１に対して第１のアーム１５を回動自在に装着するための嵌合凹部５１と、このスライド補助プレート２１に対して第２のアーム１６を回動自在に装着するための嵌合凹部５２とが設けられている。
【００４１】
第１のアーム１５の他端部は、このスライド補助プレート２１の嵌合凹部５１に嵌合した回転支持ピン２４により、回動可能に支持されている。また、第２のアーム１６の他端部は、このスライド補助プレート２１の嵌合凹部５２に嵌合した回転支持ピン２５により、回動可能に支持されている。
【００４２】
また、スライド回転機構１１の設置位置に対応する下筐体２の短手側の側面部には、第１のアーム１５を回動自在に装着するための孔部５３と、第２のアーム１６を回動自在に装着するための孔部５４とが設けられている。第１のアーム１５の一端部は、この孔部５３を介して下筐体２に装着された回転支持ピン２２により、回動自在に支持されている。また、第２のアーム１６の一端部は、この孔部５４を介して下筐体２に装着された回転支持ピン２３により、回動自在に支持されている。
【００４３】
この携帯電話機は、このようなスライド回転機構１１を一対有しており、一方のスライド回転機構１１は、下筐体２の一端部２ｂ近傍の右側面側に設けられており、他方のスライド回転機構１１は、下筐体２の一端部２ｂ近傍の左側面側に設けられている。
【００４４】
なお、この携帯電話機は、上記スライド回転機構１１を一対有することとして説明を進めるが、いずれか一方のスライド回転機構１１のみを設けるようにしてもよい。
【００４５】
〔スライド回転動作〕
このような携帯電話機において、図３（ａ）に示すように上筐体１及び下筐体２が略々略々重なり合った状態である閉状態から、図３（ｂ）に示すように下筐体２に対して上筐体１が斜めに起立した開状態とする場合、ユーザは上筐体１に対して図３（ａ）に示す開方向の力を加えることで、該上筐体１を上記開方向にスライド操作する。
【００４６】
上筐体１を上記開方向にスライド移動させると、図３（ｂ）に示すように上筐体１の端部１ｂがスライド補助プレート２１に当接する。この状態でさらに開方向の力を上筐体１に加え続けると、上記回転支持ピン２２〜２５をそれぞれ回転軸とする第１のアーム１５及び第２のアーム１６が回転して起立する。これにより、図３（ｃ）に示すように下筐体２に対して略４５度の回転角度で上筐体１を起立させることができる。
【００４７】
〔閉操作時の問題点〕
ここで、この携帯電話機を図３（ｃ）に示したように下筐体２に対して上筐体１が斜めに起立した開状態から、図３（ａ）に示したように各筐体１，２が略々重なり合った状態である閉状態に戻す場合、まず、上筐体１を閉方向に回動させて、一旦、上筐体１と下筐体２とを平行状態とする。次に、上記平行状態となっている上筐体１に対して閉方向の力を加えることで、上筐体１を下筐体２に対して平行に閉方向にスライド移動させ、当該携帯端末装置を閉状態とする。これが、当該携帯電話機を開状態から閉状態に戻す際の正規の操作順序である。
【００４８】
しかし、この新たに開発した携帯端末装置の動作検証を行ったところ、開状態から閉状態に戻す際に、起立している上筐体１を下筐体２に対して平行としないうちに、上筐体１を下筐体２に対して閉方向にスライド移動させることが可能であることがわかった。
【００４９】
上筐体１内に設けられている電気部品と下筐体２内に設けられている電気部品は、図４（ａ）に示すように可撓性を有するフレキシブル基板により電気的に接続されているのであるが、当該携帯電話機は、図４（ｂ）に矢印で示すように、起立している上筐体１を下筐体２に対して平行としないうちに、上筐体１を下筐体２に対して閉方向にスライド移動させることも可能となっている。
【００５０】
起立している上筐体１を下筐体２に対して平行としないうちに、上筐体１を下筐体２に対して閉方向にスライド移動させると、図４（ｃ）に示すようにフレキシブル基板が上筐体１で押されて、下筐体２上を擦りながら閉状態に戻るようになる。このため、当該携帯電話機を開状態から閉状態に戻す場合は、正規の操作順序で閉状態に戻さないと、フレキシブル基板が損傷する可能性がある。
【００５１】
この問題は、当該携帯電話機を開状態から閉状態に戻す際に、上述の正規の操作順序で閉操作を行うように、ユーザに対して強いることにより解決可能である。しかし、このようなことを各ユーザに対して強いることは、非現実的である。
【００５２】
〔第１の実施例の要部の機能及び効果〕
このようなことから、この第１の実施例の携帯電話機は、図５に示すように上筐体１と下筐体２との間に位置するフレキシブル基板のうち、上筐体１から露出した直後の部分から略１／３程度を、接着剤や両面テープ等の接着部材を用いて上筐体１の背面部１ｄ側に接着している。
【００５３】
この接着位置は、当該携帯電話機の閉状態時に上筐体１と下筐体２とが重なることで、ユーザからは視認できない位置である。また、当該携帯電話機の開状態時には、上筐体１の陰となって、やはりユーザからは非常に視認し難い位置である。
【００５４】
これにより、上筐体１から下筐体２にかけて設けられるフレキシブル基板全体が、上記上筐体１の背面部１ｂ側に接着した部分から上筐体１内に収納されている部分であるスライド用のフレキシブル基板と、上記上筐体１の背面部１ｂ側に接着した部分から下筐体２内に収納されている部分である回転用のフレキシブル基板とに分離されることとなる。そして、上述のスライド回転動作により上記スライド用のフレキシブル基板に相当する部分に生じた撓みは、上筐体１内の範囲でのみ生ずるようになる。
【００５５】
このため、上述のスライド回転動作により、撓んだフレキシブル基板が上筐体１外に大きく突出することがなく、図４（ｃ）を用いて説明したように、起立している上筐体１を下筐体２に対して平行としないうちに、上筐体１を下筐体２に対して閉方向にスライド移動させた場合でも、フレキシブル基板が上筐体１で押され、下筐体２との間で擦られて損傷する不都合を防止することができる（＝当該携帯電話機が正規の操作順序で閉操作されないことでフレキシブル基板が損傷する不都合を防止することができる。）。
【００５６】
また、当該携帯電話機が正規の操作順序で閉操作されないことでフレキシブル基板が損傷する不都合を防止することができるため、正規の操作順序で当該携帯電話機を開状態から閉状態に戻すようにユーザに対して強制する、閉操作の強制を不要とすることができる。
【００５７】
［第２の実施例］
次に、本発明を適用した第２の実施例の携帯電話機を説明する。上述の第１の実施例の携帯電話機は、上筐体１から露出した直後の部分のフレキシブル基板を上筐体１の背面部１ｄ側に接着することで、閉操作時におけるフレキシブル基板の損傷を防止するものであった。
【００５８】
これに対して、この第２の実施例の携帯電話機は、当該携帯電話機を開状態から閉状態に戻す際に、上筐体１の閉方向の回動操作が終わらないうちは、該上筐体１の閉方向のスライド移動ができない構造とすることで、意識することなく自然に正規の操作順序で閉操作をユーザに行わせ、閉操作時におけるフレキシブル基板の損傷を防止するようにしたものである。
【００５９】
〔第２の実施例の携帯電話機の構成〕
この第２の実施例の携帯電話機の場合、図６及び図７に示すように第１のアーム１５と同軸となるように該第１のアーム１５に固定して設けられ、該第１のアーム１５と共に回転するロックブロック３０を有している。
【００６０】
このロックブロック３０は、円柱形状を有しており、周面部の一部を、中心軸に沿って直線的に切り落とすことで径の断面が略Ｄの字状となる、いわゆるＤカット加工が施されている。
【００６１】
また、この携帯電話機は、当該携帯電話機の閉操作中に上筐体１が閉方向の回転動作を行っている間、ロックブロック３０の周面の曲面部３０ａに当接することで、閉方向の回転動作中における閉方向のスライド動作への移行を規制し、上筐体１が閉方向の回転動作を終了したタイミングで、ロックブロック３０の平面部３０ｂ上に位置することで、閉方向のスライド動作の規制を解除する、上筐体１側からロックブロック３０に向かって突出するように該上筐体１に設けられた突出部材３５を有している。
【００６２】
〔第２の実施例の携帯電話機の開動作〕
このような第２の実施例の携帯電話機において、図８（ａ）に示すように上筐体１及び下筐体２が略々重なり合った閉状態から、下筐体２に対して上筐体１を斜めに起立させる開状態とする場合、ユーザは上筐体１に対して図８（ａ）に示す開方向の力を加えることで、該上筐体１を上記開方向にスライド操作する。
【００６３】
この閉状態においては、図８（ａ）に示すようにロックブロック３０の平面部３０ｂは、下筐体２に対して略平行となっている。また、上筐体１から下筐体２側に突出するように該上筐体１に設けられている突出部材３５は、ロックブロック３０とは当接していない。
【００６４】
上筐体１を上記開方向にスライド移動させると、上筐体１の端部がスライド補助プレート２１に当接する。この状態でさらにスライド方向の力を上筐体１に加え続けると、上記回転支持ピン２２〜２５をそれぞれ回転軸して、図８（ｂ）に示すように第１のアーム１５及び第２のアーム１６が開方向に回転を開始する。
【００６５】
図９に、この回転開始時における第１のアーム１５及び第２のアーム１６の状態を示す。この図９からわかるように、各アーム１５，１６が開方向に回転を開始すると、第１のアーム１５に固定して設けられているロックブロック３０も、該第１のアーム１５の回転に連動して図９に矢印で示す開方向に回転を開始する。
【００６６】
そして、図１０に示すように上筐体１の回転角度が下筐体２に対して略４５度となった際に、各アーム１５，１６の回転が停止する。これにより、上筐体１は、下筐体２に対して略４５度の回転角度で起立し、当該携帯電話機が開状態となる。この開状態では、ロックブロック３０の平面部３０ｂは、図１０に示すように下筐体２に対して略垂直となっている。
【００６７】
〔第２の実施例の携帯電話機の閉動作〕
次に、当該携帯電話機をこのような開状態から上記閉状態に戻す場合、まず、上筐体１を閉方向に回動させて、一旦、上筐体１と下筐体２とを平行状態とし、次に、上記平行状態となっている上筐体１に対して閉方向にスライド移動させる力を加えることで、上筐体１を下筐体２に対して平行に閉方向にスライド移動させる手順で操作を行う必要がある。
【００６８】
しかし、上筐体１を閉方向に回動させることなく該上筐体１に対して閉方向にスライド移動させる力が加えられたり、或いは少ししか上筐体１を閉方向に回動させていない状態で該上筐体１に対して閉方向にスライド移動させる力が加えられたり、上筐体１が閉方向に回動している途中で該上筐体１に対して閉方向にスライド移動させる力が加えられることも想定される。
【００６９】
当該第２の実施例の携帯電話機では、上筐体１を閉方向に回動させることなく該上筐体１に対して閉方向にスライド移動させる力が加えられたり、或いは少ししか上筐体１を閉方向に回動させていない状態で該上筐体１に対して閉方向にスライド移動させる力が加えられた場合、図１１に示すように上筐体１から突出している突出部材３５が、ロックブロック３０の曲面部３０ａに当接し、上筐体１の閉方向へのスライド移動を規制する。
【００７０】
これにより、当該携帯電話機の開状態時において、上筐体１を閉方向に回動させることなく該上筐体１に対して閉方向にスライド移動させる力が加えられたり、或いは少ししか上筐体１を閉方向に回動させていない状態で該上筐体１に対して閉方向にスライド移動させる力が加えられた場合でも、上筐体１の閉方向へのスライド移動を規制することができる。ユーザは、この状態では、上筐体１を閉方向にスライド移動させることができないことから、該上筐体１を閉方向に回転操作することとなる。
【００７１】
これに対して、上筐体１が閉方向に回動している途中で該上筐体１に対して閉方向にスライド移動させる力が加えられた場合、図１２に示すように上筐体１から突出している突出部材３５が、ロックブロック３０の平面部３０ｂに当接することで、該上筐体１の閉方向へのスライド移動の規制が解除される。そして、突出部材３５がロックブロック３０の平面部３０ｂに当接することで、該突出部材３５により、第１のアーム１５が閉方向に回転するように押圧される。換言すれば、突出部材３５がロックブロック３０の平面部３０ｂに当接すると、閉方向のスライド操作で加えられた力が、第１のアーム１５を閉方向に回転させる力に変換される。
【００７２】
これにより、図１３に示すように上筐体１の閉方向への回転動作を加速させることができ（＝閉方向への回転動作を補助することができ）、上筐体１の閉方向の回転が終了した後に、上筐体１の閉方向へのスライド操作に移行させて、当該携帯電話機を図８（ａ）に示したように閉状態に戻すことができる。
【００７３】
すなわち、当該第２の実施例の携帯電話機は、当該携帯電話機を開状態から閉状態に戻す際に行われた閉方向への回転操作が、ロックブロック３０の曲面部３０ａに突出部材３５が当接する範囲の回転操作であった場合には、閉方向のスライド操作を行っても、突出部材３５がロックブロック３０の曲面部３０ａに当接して、該閉方向のスライド操作が規制されるようになっている。
【００７４】
これに対して、当該携帯電話機を開状態から閉状態に戻す際に行われた閉方向への回転操作が、ロックブロック３０の平面部３０ｂに突出部材３５が当接する範囲の回転操作であった場合には、突出部材３５がロックブロック３０の平面部３０ｂに当接することで、閉方向へのスライド操作の規制が解除される。そして、突出部材３５がロックブロック３０の平面部３０ｂに当接することで、第１のアーム１５の閉方向への回転が加速されると共に、閉方向へのスライド操作が可能となっている。
【００７５】
〔第２の実施例の効果〕
以上の説明から明らかなように、この第２の実施例の携帯電話機は、第１のアーム１５と共に回動するロックブロック３０、及び上筐体１から突出させた突出部材３５により、上筐体１を閉方向に回動させることなく該上筐体１に対して閉方向にスライド移動させる力が加えられたり、或いは少ししか上筐体１を閉方向に回動させていない状態で該上筐体１に対して閉方向にスライド移動させる力が加えられた場合には、上筐体１の閉方向へのスライド操作を規制する。
【００７６】
また、上筐体１が閉方向に回動している途中で該上筐体１に対して閉方向にスライド移動させる力が加えられた場合には、上筐体１の閉方向への回転動作を加速させて（＝閉方向への回転動作を補助して）、上筐体１の閉方向の回転が終了した後に、上筐体１の閉方向へのスライド操作に移行させる。
【００７７】
これにより、ユーザに意識させることなく、自然に、正規の操作順序で当該携帯電話機を開状態から閉状態に戻す操作を行わせることができる（ユーザの閉操作を正規の操作順序となるように矯正することができる。）。
【００７８】
また、正規の操作順序で当該携帯電話機を開状態から閉状態に戻す操作を行わせることができるため、当該携帯電話機の開状態時に、上筐体１の閉方向への回転が終了する前に閉方向へのスライド操作が行われ、上筐体１でフレキシブル基板が押され、下筐体２上を擦りながら当該携帯電話機が閉状態に戻ることで、フレキシブル基板が損傷する不都合を防止することができる（＝当該携帯電話機が正規の操作順序で閉操作されないことでフレキシブル基板が損傷する不都合を防止することができる。）。
【００７９】
また、当該携帯電話機が正規の操作順序で閉操作されないことでフレキシブル基板が損傷する不都合を防止することができるため、正規の操作順序で当該携帯電話機を開状態から閉状態に戻すようにユーザに対して強制する、閉操作の強制を不要とすることができる。
【００８０】
［第３の実施例］
次に、本発明を適用した第３の実施例の携帯電話機を説明する。上述の第１の実施例の携帯電話機は、上筐体１から露出した直後の部分のフレキシブル基板を上筐体１の背面部１ｄ側に接着することで、閉操作時におけるフレキシブル基板の損傷を防止するものであった。
【００８１】
また、上述の第２の実施例の携帯電話機は、当該携帯電話機を開状態から閉状態に戻す際に、上筐体１の閉方向への回動操作が終わらないうちは、該上筐体１の閉方向へのスライド移動ができない構造とすることで、意識することなく自然に正規の操作順序で閉操作をユーザに行わせ、閉操作時におけるフレキシブル基板の損傷を防止するものであった。
【００８２】
これらに対して、当該第３の実施例の携帯電話機は、上筐体１から露出した直後の部分のフレキシブル基板を上筐体１の背面部１ｄ側に接着すると共に、当該携帯電話機を開状態から閉状態に戻す際に、上筐体１の閉方向への回動操作が終わらないうちは、該上筐体１の閉方向へのスライド移動ができない構造とすることで、閉操作時におけるフレキシブル基板の損傷をさらに強力に防止すると共に、意識することなく自然に正規の操作順序で閉操作をユーザに行わせるようにしたものである。
【００８３】
〔第３の実施例の携帯電話機の構成〕
この第３の実施例の携帯電話機の場合、図５に示すように上筐体１と下筐体２との間に位置するフレキシブル基板のうち、上筐体１から露出した直後の部分から略１／３程度を、接着剤や両面テープ等の接着部材を用いて上筐体１の背面部１ｄ側に接着している。
【００８４】
この接着位置は、当該携帯電話機の閉状態時に上筐体１と下筐体２とが重なることで、ユーザからは視認できない位置である。また、当該携帯電話機の開状態時には、上筐体１の陰となって、やはりユーザからは非常に視認し難い位置である。
【００８５】
また、この第３の実施例の携帯電話機の場合、図６及び図７に示すように第１のアーム１５と同軸となるように該第１のアーム１５に固定して設けられ、該第１のアーム１５と共に回転するロックブロック３０を有している。
【００８６】
このロックブロック３０は、円柱形状を有しており、周面部の一部を、中心軸に沿って直線的に切り落とすことで径の断面が略Ｄの字状となる、いわゆるＤカット加工が施されている。
【００８７】
また、この携帯電話機は、当該携帯電話機の閉操作中に上筐体１が閉方向への回転動作を行っている間、ロックブロック３０の周面の曲面部３０ａに当接することで、回転動作中における閉方向へのスライド動作への移行を規制し、上筐体１が閉方向への回転動作を終了したタイミングで、ロックブロック３０の平面部３０ｂ上に位置することで、閉方向へのスライド動作への移行を可能とする、上筐体１側からロックブロック３０に向かって突出するように該上筐体１に設けられた突出部材３５を有している。
【００８８】
〔第３の実施例の携帯電話機の開動作〕
このような第３の実施例の携帯電話機において、図８（ａ）に示すように上筐体１及び下筐体２が略々重なり合った閉状態から、下筐体２に対して上筐体１を斜めに起立させる開状態とする場合、ユーザは上筐体１に対して図８（ａ）に示す開方向の力を加えることで、該上筐体１を上記開方向にスライド操作する。
【００８９】
この閉状態においては、図８（ａ）に示すようにロックブロック３０の平面部３０ｂは、下筐体２に対して略平行となっている。また、上筐体１から下筐体２側に突出するように該上筐体１に設けられている突出部材３５は、ロックブロック３０とは当接していない。
【００９０】
上筐体１を上記開方向にスライド移動させると、上筐体１の端部がスライド補助プレート２１に当接する。この状態でさらにスライド方向の力を上筐体１に加え続けると、上記回転支持ピン２２〜２５をそれぞれ回転軸として、図８（ｂ）に示すように第１のアーム１５及び第２のアーム１６が開方向への回転を開始する。
【００９１】
図９に、この開方向への回転開始時における第１のアーム１５及び第２のアーム１６の状態を示す。この図９からわかるように、各アーム１５，１６が開方向への回転を開始すると、第１のアーム１５に固定して設けられているロックブロック３０も、該第１のアーム１５の回転に連動して図９に矢印で示す開方向に回転を開始する。
【００９２】
そして、図１０に示すように上筐体１の回転角度が下筐体２に対して略４５度数となった際に、各アーム１５，１６の回転が停止する。これにより、上筐体１は、下筐体２に対して略４５度の回転角度で起立し、当該携帯電話機が開状態となる。この開状態では、ロックブロック３０の平面部３０ｂは、図１０に示すように下筐体２に対して略垂直となっている。
【００９３】
〔第３の実施例の携帯電話機の閉動作〕
次に、当該第３の実施例の携帯電話機をこのような開状態から上記閉状態に戻す場合、まず、上筐体１を閉方向に回動させて、一旦、上筐体１と下筐体２とを平行状態とし、次に、上記平行状態となっている上筐体１に対して閉方向へスライド移動させる力を加えることで、上筐体１を下筐体２に対して平行にスライド移動させる手順で操作を行う必要がある。
【００９４】
しかし、上筐体１を閉方向へ回動させることなく該上筐体１に対して閉方向へスライド移動させる力が加えられたり、或いは少ししか上筐体１を閉方向に回動させていない状態で該上筐体１に対して閉方向へスライド移動させる力が加えられたり、上筐体１が閉方向に回動している途中で該上筐体１に対して閉方向へスライド移動させる力が加えられることも想定される。そして、このような状態で上筐体１に閉方向へスライド移動させる力が加えられると、上述のようにフレキシブル基板の破損等の不都合が生ずる。
【００９５】
このため、この第３の実施例の携帯電話機は、図５に示したように、上筐体１と下筐体２との間に位置するフレキシブル基板のうち、上筐体１から露出した直後の部分から略１／３程度を、接着剤や両面テープ等の接着部材を用いて上筐体１の背面部１ｄ側に接着している。
【００９６】
これにより、上筐体１から下筐体２にかけて設けられるフレキシブル基板全体が、上記上筐体１の背面部１ｂ側に接着した部分から上筐体１内に収納されている部分であるスライド用のフレキシブル基板と、上記上筐体１の背面部１ｂ側に接着した部分から下筐体２内に収納されている部分である回転用のフレキシブル基板とに分離されることとなる。そして、上述のスライド回転動作により上記スライド用のフレキシブル基板に相当する部分に生じた撓みは、上筐体１内の範囲でのみ生ずるようになる。
【００９７】
このため、上述のスライド回転動作により、撓んだフレキシブル基板が上筐体１外に大きく突出することがなく、図４（ｃ）を用いて説明したように、上筐体１と下筐体２との間にフレキシブル基板が挟まれて損傷する不都合を防止することができる。
【００９８】
また、この第３の実施例の携帯電話機の場合、上筐体１を閉方向に回動させることなく該上筐体１に対して閉方向へスライド移動させる力が加えられたり、或いは少ししか上筐体１を閉方向に回動させていない状態で該上筐体１に対して閉方向へスライド移動させる力が加えられた場合、図１１に示すように上筐体１から突出している突出部材３５が、ロックブロック３０の曲面部３０ａに当接し、上筐体１のスライド移動を規制する。
【００９９】
これにより、当該携帯電話機の開状態時において、上筐体１を閉方向に回動させることなく該上筐体１に対して閉方向にスライド移動させる力が加えられたり、或いは少ししか上筐体１を閉方向に回動させていない状態で該上筐体１に対して閉方向にスライド移動させる力が加えられた場合でも、上筐体１の閉方向へのスライド移動を規制することができる。ユーザは、この状態では、上筐体１を閉方向にスライド移動させることができないことから、該上筐体１を閉方向に回転操作することとなる。
【０１００】
これに対して、上筐体１が閉方向に回動している途中で該上筐体１に対して閉方向にスライド移動させる力が加えられた場合、図１２に示すように上筐体１から突出している突出部材３５が、ロックブロック３０の平面部３０ｂに当接することで、該上筐体１の閉方向へのスライド移動の規制が解除される。そして、突出部材３５がロックブロック３０の平面部３０ｂに当接することで、該突出部材３５により、第１のアーム１５が閉方向に回転するように押圧される。換言すれば、突出部材３５がロックブロック３０の平面部３０ｂに当接すると、閉方向のスライド操作で加えられた力が、第１のアーム１５を閉方向に回転させる力に変換される。
【０１０１】
これにより、図１３に示すように上筐体１の閉方向への回転動作を加速させることができ（＝閉方向への回転動作を補助することができ）、上筐体１の閉方向の回転が終了した後に、上筐体１の閉方向へのスライド操作に移行させて、当該携帯電話機を図８（ａ）に示したように閉状態に戻すことができる。
【０１０２】
すなわち、当該第２の実施例の携帯電話機は、当該携帯電話機を開状態から閉状態に戻す際に行われた閉方向への回転操作が、ロックブロック３０の曲面部３０ａに突出部材３５が当接する範囲の回転操作であった場合には、閉方向のスライド操作を行っても、突出部材３５がロックブロック３０の曲面部３０ａに当接して、該閉方向のスライド操作が規制されるようになっている。
【０１０３】
これに対して、当該携帯電話機を開状態から閉状態に戻す際に行われた閉方向への回転操作が、ロックブロック３０の平面部３０ｂに突出部材３５が当接する範囲の回転操作であった場合には、突出部材３５がロックブロック３０の平面部３０ｂに当接することで、閉方向へのスライド操作の規制が解除される。そして、突出部材３５がロックブロック３０の平面部３０ｂに当接することで、第１のアーム１５の閉方向への回転が加速されると共に、閉方向へのスライド操作が可能となっている。
【０１０４】
〔第３の実施例の効果〕
以上の説明から明らかなように、この第３の実施例の携帯電話機は、上筐体１と下筐体２との間に位置するフレキシブル基板のうち、上筐体１から露出した直後の部分から略１／３程度を、接着剤や両面テープ等の接着部材を用いて上筐体１の背面部１ｄ側に接着することで、撓んだフレキシブル基板が上筐体１外に大きく突出する不都合を防止している。
【０１０５】
また、第１のアーム１５と共に回動するロックブロック３０、及び上筐体１から突出させた突出部材３５により、上筐体１を閉方向に回動させることなく該上筐体１に対して閉方向にスライド移動させる力が加えられたり、或いは少ししか上筐体１を閉方向に回動させていない状態で該上筐体１に対して閉方向にスライド移動させる力が加えられた場合には、上筐体１のスライド操作を規制する。
【０１０６】
また、上筐体１が閉方向に回動している途中で該上筐体１に対して閉方向にスライド移動させる力が加えられた場合には、上筐体１の閉方向への回転動作を加速させて（＝閉方向への回転動作を補助して）、上筐体１の閉方向の回転が終了した後に、上筐体１の閉方向へのスライド操作に移行させる。
【０１０７】
これにより、撓んだフレキシブル基板が上筐体１外に大きく突出する不都合を防止したうえで、閉操作時において、閉方向への回転操作終了前の閉方向へのスライド操作を規制することができる。このため、ユーザに意識させることなく、自然に、正規の操作順序で当該携帯電話機を開状態から閉状態に戻す操作を行わせることができるうえ（ユーザの閉操作を正規の操作順序となるように矯正することができるうえ）、上筐体１と下筐体２との間にフレキシブル基板が挟まれて損傷する不都合を、さらに強力に防止することができる。
【０１０８】
また、当該携帯電話機が正規の操作順序で閉操作されないことでフレキシブル基板が損傷する不都合を防止することができるため、正規の操作順序で当該携帯電話機を開状態から閉状態に戻すようにユーザに対して強制する、閉操作の強制を不要とすることができる。
【０１０９】
［変形例］
上述の各実施例は、本発明を携帯電話機に適用した例であったが、本発明は、この他、ＰＨＳ電話機（PHS：Personal Handyphone System）、ＰＤＡ装置（PDA：Personal Digital Assistant）、携帯ゲーム機、携帯音楽プレーヤ装置等にも適用することができる。いずれの場合でも上述と同じ効果を得ることができる。
【０１１０】
最後に、上述の各実施例は、本発明の一例である。このため、本発明は上述の各実施例に限定されることはなく、本発明に係る技術的思想を逸脱しない範囲であれば、設計等に応じて種々の変更が可能であることは勿論であることを付け加えておく。
【符号の説明】
【０１１１】
１  携帯電話機の上筐体、１ａ  上筐体の上面部、１ｂ  上筐体の背面部、１ｄ  上筐体の背面部、２  携帯電話機の下筐体、２ａ  下筐体の上面部、２ｂ  下筐体の一端部、１１  スライド回転機構、１５  第１のアーム、１６  第２のアーム、２１  スライド補助プレート、２２  回転支持ピン、２３  回転支持ピン、２４  回転支持ピン、２５  回転支持ピン、３０  ロックブロック、３０ａ  ロックブロックの曲面部、３０ｂ  ロックブロックの平面部、３５  突出部材、５１  嵌合凹部、５２  嵌合凹部、５３  孔部、５４  孔部
【図１】
2011142475.tif 000003
【図２】
2011142475.tif 000004
【図３】
2011142475.tif 000005
【図４】
2011142475.tif 000006
【図５】
2011142475.tif 000007
【図６】
2011142475.tif 000008
【図７】
2011142475.tif 000009
【図８】
2011142475.tif 000010
【図９】
2011142475.tif 000011
【図１０】
2011142475.tif 000012
【図１１】
2011142475.tif 000013
【図１２】
2011142475.tif 000014
【図１３】
2011142475.tif 000015